(57)【要約】【課題】嵌め込み方式を利用して電気連通を形成し、組立、分解が容易であり、制御素子により直列回路の電流、電圧等の電気特性を制御し、該制御素子はヒューズとされ得て、使用上の安全性を高めた、直列回路制御装置の提供。【解決手段】座体、制御素子、端子シートを包含し、該座体に収容溝が設けられ、該収容溝の下端がピン位置決め部とされ、該制御素子は二つのピンを具え、該制御素子は該座体の収容溝中に取り付けられ且つ二つのピンが相互に絶縁され該ピン位置決め部の外側に位置決めされ、該端子シートは中空溝体とされ、端子シート内部に二つの端子が組み付けられ、該二つの端子が直列回路に電気的に接続され、座体が端子シート中に嵌め込まれ、制御素子の二つのピンが端子シートの二つの端子に対応し接触する。【選択図】図１
0003137950.tif 000002
【実用新案登録請求の範囲】
【請求項１】
直列回路制御装置において、該直列回路制御装置は座体、制御素子、端子シートを包含し、
該座体に収容溝が設けられ、該収容溝の上端は開口とされ、該収容溝の別端はピン位置決め部とされ、該ピン位置決め部が該収容溝に連通し並びに二つのピン孔が形成され、
該制御素子は二つのピンを具え、該制御素子は該座体の該収容溝中に取り付けられ且つ該二つのピンが対応する該ピン孔を通り突出し、該二つのピンが相互に絶縁され、該ピン位置決め部の外側に位置決めされ、
該端子シートが該座体の形状に対応する中空の溝体を具え、該端子シートの内部に二つの端子が組み付けられ、該二つの端子が直列回路の電源線に電気的に接続され、且つ該二つの端子が該制御素子の該二つのピンに対応し、
該制御素子が組み付けられた該座体のピン位置決め部が該端子シート中に嵌め込まれ、該制御素子の該二つのピンが該端子シート内の対応する該端子に接触して電気的に接続されたことを特徴とする、直列回路制御装置。
【請求項２】
請求項１記載の直列回路制御装置において、該座体の該収容溝の開口端に外向きにフランジが形成され、該フランジの下側面に少なくとも一つの凸塊が形成され、該座体の該フランジの下側の該凸塊が該端子シートの開口上端に当接し、これにより該フランジと該端子シートの間に間隙が形成され、該間隙が使用者が該座体と該制御素子を着脱するための作用空間とされることを特徴とする、直列回路制御装置。
【請求項３】
請求項１記載の直列回路制御装置において、該座体のピン位置決め部が二つの側板を包含し、該二つの側板の中間に隔板が設けられて二つのピン孔が形成されたことを特徴とする、直列回路制御装置。
【請求項４】
請求項１記載の直列回路制御装置において、カバーを更に具え、該カバーが該座体の該収容溝の開口を被覆して制御素子を被覆することを特徴とする、直列回路制御装置。
【請求項５】
請求項１記載の直列回路制御装置において、カバーを更に具え、該制御素子がコンデンサとされたことを特徴とする、直列回路制御装置。
【請求項６】
請求項１記載の直列回路制御装置において、カバーを更に具え、該制御素子が抵抗とされたことを特徴とする、直列回路制御装置。
【請求項７】
請求項１記載の直列回路制御装置において、カバーを更に具え、該制御素子がヒューズとされたことを特徴とする、直列回路制御装置。
【考案の詳細な説明】
【技術分野】
【０００１】
本考案は一種の直列回路制御装置に係り、特に、嵌め込み方式を利用して制御素子を直列回路に接続し、電流、電圧を有効に制御し、イルミネーション用ロープライト等の電流回路に応用可能な直列回路制御装置に関する。
【背景技術】
【０００２】
現在用いられているイルミネーション用ロープライトは、電流、電圧を安定させる抵抗とコンデンサ等の電子素子のほとんどが直接電源線端に取り付けられ、抵抗或いはコンデンサ損壊時には交換が容易でなく、特に固定式の抵抗或いはコンデンサは根本的に交換不能であり、全体のイルミネーション用ロープライトを交換しなければならず、抵抗或いはコンデンサを交換可能とすると、抵抗或いはコンデンサはその体積が小さいため、交換しにくくなる。
【０００３】
前述の周知のイルミネーション用ロープライトの抵抗或いはコンデンサ交換が容易でないという欠点を改善するため、あるイルミネーション用ロープライトにはスイッチボックスが設けられ、抵抗或いはコンデンサが該スイッチボックス内に接続され、損壊した抵抗或いはコンデンサの交換に比較的便利とされている。
【考案の開示】
【考案が解決しようとする課題】
【０００４】
しかし、上述の、スイッチボックス内に抵抗或いはコンデンサが設けられた周知のイルミネーション用ロープライトには、以下のような欠点がある。
（１）交換時に全体のイルミネーション用ロープライトの電源を切断しなければ損壊した抵抗或いはコンデンサ素子を交換できず、更に抵抗或いはコンデンサの損壊率は高いため、イルミネーション用ロープライトの装飾効果が減る。
（２）抵抗或いはコンデンサ自身の体積は小さく、交換が容易でない問題は依然として存在する。
【０００５】
本考案は上述の周知のイルミネーション用ロープライトの欠点、特に、抵抗或いはコンデンサの交換が容易でない欠点を改善することを目的とする。
【課題を解決するための手段】
【０００６】
本考案は一種の直列回路制御装置を提供し、それは座体、制御素子、端子シートを包含し、該座体に収容溝が設けられ、該収容溝の上端は開口とされ、別端はピン位置決め部とされ、該制御素子は二つのピンを具え、該制御素子は該座体の収容溝中に取り付けられ且つ二つのピンが相互に絶縁され該ピン位置決め部の外側に位置決めされ、該端子シートは中空溝体とされ、端子シート内部に二つの端子が組み付けられ、該二つの端子が直列回路に電気的に接続され、座体が端子シート中に嵌め込まれ、制御素子の二つのピンが端子シートの二つの端子に対応し接触する。
【考案の効果】
【０００７】
本考案は一種の直列回路制御装置を提供し、その制御素子は、嵌め込み方式を利用して電気的接続を形成し、これにより直列回路の電流、電圧等の電気特性制御を達成し、並びに組立、分解を容易としている。
【０００８】
本考案は一種の直列回路制御装置を提供し、それはイルミネーション用ロープライトに使用される時、電流、電圧を安定させて、バルブの使用寿命を有効に増長し、抵抗或いはコンデンサ等電子制御素子が損壊する時、随時交換でき、イルミネーション用ロープライト全体が損壊する損失を防止できる。
【０００９】
本考案は一種の直列回路制御装置を提供し、その制御素子はヒューズとされてロープライト間に設置されて、ロープライト使用時の安全性を高める。
【考案を実施するための最良の形態】
【００１０】
図１から図４は本考案の実施例の立体分解図、立体局部組合せ表示図、座体の別角度表示図及び組合せ表示図である。これらの図に示されるように、本考案は一種の直列回路制御装置であり、座体１、制御素子２、及び端子シート３を包含する。
【００１１】
そのうち、該座体１には少なくとも一つの収容溝１１が設けられ、該収容溝１１の上端は開口とされ、別端はピン位置決め部１２とされ、該収容溝１１の開口端に外向きにフランジ１１０が形成され、該フランジ１１０の下側面に少なくとも一つの凸塊１１１が形成されている。該ピン位置決め部１２内部は前述の収容溝１１の内部と連通する。また図３に示されるように、ピン位置決め部１２は二つの側板１２１を包含し、該二つの側板１２１の中間に隔板１２２が設けられて二つのピン孔１２３が形成されている。
【００１２】
該制御素子２は二つのピン２１を具え、該制御素子２が前述の座体１の収容溝１１中に挿入され且つ二つのピン２１が二つのピン孔１２３を通り突出し、二つの側板１２１の外側で折り曲げられ、これにより二つのピン孔１２が相互に絶縁され、前述のピン位置決め部１２の外側に位置決めされ、これは図２に示されるようである。
【００１３】
該端子シート３は形状が前述の座体１の形状に対応する中空溝体３０を具え、該溝体３０の別端に開孔（図示せず）が設けられて電源線４１が通され、溝体３０内に二つの端子３１が組み付けられ、該二つの端子は直列回路４の電源線４１に接続される。二つの端子３１は制御素子２の二つのピン２１に対応する。本実施例では、直列回路４はイルミネーション用ロープライトとされる、図５に示されるように。
【００１４】
組立実施時には、制御素子２の座体１に組み付けられたピン位置決め部１２を端子シート３中に嵌め込み、制御素子２の二つのピン２１を端子シート３内の二つの端子３１に対応させて接触させ、電気的に接続する。
【００１５】
図４に示されるように、組立完成時に、座体１のフランジ１１０下側の凸塊１１１が端子シート３の開口上端に当接し、フランジ１１０と端子シート３の間に間隙ｇを具備させ、該間隙ｇが使用者に座体１及び制御素子２を取り外す作用空間を提供する。
【００１６】
図６に示されるように、本考案は更にカバー５が設置され、該カバー５は座体１の収容溝１１開口に対応しそれを被覆し、該カバー５の被覆により、そのうちの制御素子２が保護され、制御素子２に対する直接接触による損壊が防止され、並びに雨水、水分の座体１の収容溝１１中への進入を防止し、制御素子２の短絡、漏電及び損壊を防止し、或いは接触による感電の危険を防止する。
【００１７】
前述の制御素子２は、コンデンサ、抵抗、ヒューズ等の電子部品とされ得る。使用者は現場状態の違いにより適当な電子部品アセンブリを使用して制御素子２となし得る。
【００１８】
当然、本考案は同一の直列回路４中に同時に二種類以上の制御素子２を使用することで、直列回路４の各種の作用効果を達成できる。例えば、回路の電圧が不安定の時、電圧が瞬間的に増加して電流が瞬間的に増大することにより、バルブを流れる電流が過大となりバルブが焼損しやすいが、コンデンサを制御素子２として選択することにより、コンデンサを利用して瞬間的過大電流を収容し、電流を安定させて、バルブ焼損の問題を防止できる。
【００１９】
上述したように、本考案はこれまでにない新規な構造設計とされ、創作上の進歩性、実用性及び新規性を具備し、実用新案登録の要件を具備する。なお、以上の実施例は本考案の範囲を限定するものではなく、本考案に基づきなしうる同等の変化と修飾はいずれも本考案の範囲に属する。
【図面の簡単な説明】
【００２０】
【図１】本考案の実施例の立体分解図である。
【図２】本考案の実施例の立体局部組合せ表示図である。
【図３】本考案の実施例の座体の別角度表示図である。
【図４】本考案の実施例の座体の組合せ表示図である。
【図５】本考案を直列回路（イルミネーション用ロープライト）に実施した状態表示図である。
【図６】本考案の第２実施例の立体局部分解図である。
【符号の説明】
【００２１】
１  座体                １１  収容溝              １１０  フランジ
１１１  凸塊            １２  ピン位置決め部      １２１  側板
１２２  隔板            １２３  ピン孔            ２  制御素子
２１  ピン              ３  端子シート            ３０  溝体
３１  端子              ４  直列回路              ４１  電源線
５  カバー
【図１】
0003137950.tif 000003
【図２】
0003137950.tif 000004
【図３】
0003137950.tif 000005
【図４】
0003137950.tif 000006
【図５】
0003137950.tif 000007
【図６】
0003137950.tif 000008